(57)【要約】本開示のある態様は、無線通信において送信されたメッセージの完全性を保護することに関する。
2013546259.tif 000002
【特許請求の範囲】
【請求項１】
無線通信のための装置であって、
完全性保護された情報要素（ＩＥ）にカプセル化されるべき少なくとも１つの情報要素（ＩＥ）のための完全性チェック値を生成するように構成された処理システムと、
少なくとも１つの前記完全性保護されたＩＥと前記完全性チェック値とを備えるメッセージを送信するように構成された送信機と、
を備える装置。
【請求項２】
前記メッセージは、ビーコン・メッセージ、ブロードキャスト・メッセージ、またはマルチキャスト・メッセージのうちの少なくとも１つを備える、請求項１に記載の装置。
【請求項３】
前記メッセージは、前記完全性チェック値を含むＩＥを備える、請求項１に記載の装置。
【請求項４】
前記完全性保護されたＩＥは、複数のＩＥと、前記完全性チェック値とをカプセル化する、請求項１に記載の装置。
【請求項５】
前記完全性チェック値は、前記完全性保護されたＩＥにカプセル化された最後のＩＥに含まれる、請求項４に記載の装置。
【請求項６】
前記完全性チェック値は、以前に送信されたメッセージを再送信することを許可されていないデバイスに対してリプレイ保護を提供する方式で生成される、請求項１に記載の装置。
【請求項７】
前記完全性チェック値は、８０２．１１規格完全性手順に対する８０２．１１修正に基づいて生成された管理ＭＩＣ情報要素（ＭＭＩＥ）に含まれる、請求項１に記載の装置。
【請求項８】
前記完全性保護されたＩＥは、前記完全性保護されたＩＥのボディの長さを示す長さフィールドを備える、請求項１に記載の装置。
【請求項９】
前記完全性保護されたＩＥは、特定のタイプの完全性保護されたＩＥに対応する数に設定された情報ＩＤを備える、請求項１に記載の装置。
【請求項１０】
完全性チェック生成部は、フレーム制御フィールド、１または複数のアドレス・フィールド、少なくとも１つのカプセル化されたＩＥ、または、ゼロに設定されたビットを有するメッセージ完全性チェック（ＭＩＣ）値のうちの少なくとも１つに基づいて、前記完全性チェック値を生成するように構成された、請求項１に記載の装置。
【請求項１１】
完全性チェック生成部は、フレーム制御フィールド、１または複数のアドレス・フィールド、カプセル化されたＩＥの前のビットを有するフレーム・ボディの一部、または、ゼロに設定されたビットを有するメッセージ完全性チェック（ＭＩＣ）値のうちの少なくとも１つに基づいて、前記完全性チェック値を生成するように構成された、請求項１に記載の装置。
【請求項１２】
前記完全性チェック値は、完全性鍵またはセキュリティ鍵のうちの少なくとも１つを備える１または複数の鍵を用いて生成される、請求項１に記載の装置。
【請求項１３】
前記完全性鍵またはセキュリティ鍵は、安全な関連付け処理の一部として交換されるか、生成されるかのうちの少なくとも１つである、請求項１２に記載の装置。
【請求項１４】
前記安全な関連付け処理は、ＩＥの完全性保護の機能をネゴシエートすることを備える、請求項１３に記載の装置。
【請求項１５】
無線通信のための方法であって、
完全性保護された情報要素（ＩＥ）にカプセル化されるべき少なくとも１つの情報要素（ＩＥ）のための完全性チェック値を生成することと、
少なくとも１つの前記完全性保護されたＩＥと前記完全性チェック値とを備えるメッセージを送信することと、
を備える方法。
【請求項１６】
前記メッセージは、ビーコン・メッセージ、ブロードキャスト・メッセージ、またはマルチキャスト・メッセージのうちの少なくとも１つを備える、請求項１５に記載の方法。
【請求項１７】
前記メッセージは、前記完全性チェック値を含むＩＥを備える、請求項１５に記載の方法。
【請求項１８】
前記完全性保護されたＩＥは、複数のＩＥと、前記完全性チェック値とをカプセル化する、請求項１５に記載の方法。
【請求項１９】
前記完全性チェック値は、前記完全性保護されたＩＥにカプセル化された最後のＩＥに含まれる、請求項１８に記載の方法。
【請求項２０】
前記完全性チェック値は、以前に送信されたメッセージを再送信することを許可されていないデバイスに対してリプレイ保護を提供する方式で生成される、請求項１５に記載の方法。
【請求項２１】
前記完全性チェック値は、８０２．１１規格完全性手順に対する８０２．１１修正に基づいて生成された管理ＭＩＣ情報要素（ＭＭＩＥ）に含まれる、請求項１５に記載の方法。
【請求項２２】
前記完全性保護されたＩＥは、前記完全性保護されたＩＥのボディの長さを示す長さフィールドを備える、請求項１５に記載の方法。
【請求項２３】
前記完全性保護されたＩＥは、特定のタイプの完全性保護されたＩＥに対応する数に設定された情報ＩＤを備える、請求項１５に記載の方法。
【請求項２４】
完全性チェック生成部は、フレーム制御フィールド、１または複数のアドレス・フィールド、少なくとも１つのカプセル化されたＩＥ、または、ゼロに設定されたビットを有するメッセージ完全性チェック（ＭＩＣ）値のうちの少なくとも１つに基づいて、前記完全性チェック値を生成するように構成された、請求項１５に記載の方法。
【請求項２５】
完全性チェック生成部は、フレーム制御フィールド、１または複数のアドレス・フィールド、カプセル化されたＩＥの前のビットを有するフレーム・ボディの一部、または、ゼロに設定されたビットを有するメッセージ完全性チェック（ＭＩＣ）値のうちの少なくとも１つに基づいて、前記完全性チェック値を生成するように構成された、請求項１５に記載の方法。
【請求項２６】
前記完全性チェック値は、完全性鍵またはセキュリティ鍵のうちの少なくとも１つを備える１または複数の鍵を用いて生成される、請求項１５に記載の方法。
【請求項２７】
前記完全性鍵またはセキュリティ鍵は、安全な関連付け処理の一部として交換されるか、生成されるかのうちの少なくとも１つである、請求項２６に記載の方法。
【請求項２８】
前記安全な関連付け処理は、ＩＥの完全性保護の機能をネゴシエートすることを備える、請求項２７に記載の方法。
【請求項２９】
無線通信のための装置であって、
完全性保護された情報要素（ＩＥ）にカプセル化されるべき少なくとも１つの情報要素（ＩＥ）のための完全性チェック値を生成する手段と、
少なくとも１つの前記完全性保護されたＩＥと前記完全性チェック値とを備えるメッセージを送信する手段と、
を備える装置。
【請求項３０】
前記メッセージは、ビーコン・メッセージ、ブロードキャスト・メッセージ、またはマルチキャスト・メッセージのうちの少なくとも１つを備える、請求項２９に記載の装置。
【請求項３１】
前記メッセージは、前記完全性チェック値を含むＩＥを備える、請求項２９に記載の装置。
【請求項３２】
前記完全性保護されたＩＥは、複数のＩＥと、前記完全性チェック値とをカプセル化する、請求項２９に記載の装置。
【請求項３３】
前記完全性チェック値は、前記完全性保護されたＩＥにカプセル化された最後のＩＥに含まれる、請求項３２に記載の装置。
【請求項３４】
前記完全性チェック値は、以前に送信されたメッセージを再送信することを許可されていないデバイスに対してリプレイ保護を提供する方式で生成される、請求項２９に記載の装置。
【請求項３５】
前記完全性チェック値は、８０２．１１規格完全性手順に対する８０２．１１修正に基づいて生成された管理ＭＩＣ情報要素（ＭＭＩＥ）に含まれる、請求項２９に記載の装置。
【請求項３６】
前記完全性保護されたＩＥは、前記完全性保護されたＩＥのボディの長さを示す長さフィールドを備える、請求項２９に記載の装置。
【請求項３７】
前記完全性保護されたＩＥは、特定のタイプの完全性保護されたＩＥに対応する数に設定された情報ＩＤを備える、請求項２９に記載の装置。
【請求項３８】
完全性チェック生成部は、フレーム制御フィールド、１または複数のアドレス・フィールド、少なくとも１つのカプセル化されたＩＥ、または、ゼロに設定されたビットを有するメッセージ完全性チェック（ＭＩＣ）値のうちの少なくとも１つに基づいて、前記完全性チェック値を生成するように構成された、請求項２９に記載の装置。
【請求項３９】
完全性チェック生成部は、フレーム制御フィールド、１または複数のアドレス・フィールド、カプセル化されたＩＥの前のビットを有するフレーム・ボディの一部、または、ゼロに設定されたビットを有するメッセージ完全性チェック（ＭＩＣ）値のうちの少なくとも１つに基づいて、前記完全性チェック値を生成するように構成された、請求項２９に記載の装置。
【請求項４０】
前記完全性チェック値は、完全性鍵またはセキュリティ鍵のうちの少なくとも１つを備える１または複数の鍵を用いて生成される、請求項２９に記載の装置。
【請求項４１】
前記完全性鍵またはセキュリティ鍵は、安全な関連付け処理の一部として交換されるか、生成されるかのうちの少なくとも１つである、請求項４０に記載の装置。
【請求項４２】
前記安全な関連付け処理は、ＩＥの完全性保護の機能をネゴシエートすることを備える、請求項４１に記載の装置。
【請求項４３】
無線通信のためのコンピュータ・プログラム製品であって、
完全性保護された情報要素（ＩＥ）にカプセル化されるべき少なくとも１つの情報要素（ＩＥ）のための完全性チェック値を生成し、
少なくとも１つの前記完全性保護されたＩＥと前記完全性チェック値とを備えるメッセージを送信する、
ように実行可能な命令群を有するコンピュータ読取可能な媒体を備える、コンピュータ・プログラム製品。
【請求項４４】
アクセス・ポイントであって、
少なくとも１つのアンテナと、
完全性保護された情報要素（ＩＥ）にカプセル化されるべき少なくとも１つの情報要素（ＩＥ）のための完全性チェック値を生成するように構成された完全性チェック生成器と、
少なくとも１つの前記完全性保護されたＩＥと前記完全性チェック値とを備えるメッセージを、前記少なくとも１つのアンテナを介して送信するように構成された送信機と、
を備えるアクセス・ポイント。
【発明の詳細な説明】
【関連出願に対する相互参照】
【０００１】
本願は、２０１０年１１月５日に出願され、参照によって本明細書に明確に組み込まれている米国仮特許出願６１／４１０，７４５（代理人整理番号１１０３７０Ｐ１）の利益を主張する。
【技術分野】
【０００２】
本開示のある態様は、一般に、無線通信に関し、さらに詳しくは、ある無線送信の完全性を保護することに関する。
【背景技術】
【０００３】
無線通信システムのために要求される帯域幅要件が増加する問題に対処するために、複数のユーザ端末が、チャネル・リソースを共有することによって、高データ・スループットを達成しながら、単一のアクセス・ポイントと通信することを可能にするための、異なるスキームが開発されている。複数入力または複数出力（ＭＩＭＯ）技術は、次世代通信システムのためのポピュラーな技術として最近現れたこのような１つのアプローチを表す。ＭＩＭＯ技術は、例えば電気電子学会（ＩＥＥＥ）８０２．１１規格のようないくつかの新興の無線通信規格に採用された。ＩＥＥＥ  ８０２．１１は、短距離通信（例えば、数１０メートルから数１００メートル）のためにＩＥＥＥ  ８０２．１１委員会によって開発された無線ローカル・エリア・ネットワーク（ＷＬＡＮ）エア・インタフェース規格のセットを示す。
【０００４】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００５】
単一のアクセス・ポイントと複数のユーザ局とを備える無線ネットワークでは、アップリンク方向とダウンリンク方向との両方において、複数のチャネルにおいて、異なる局への同時送信が生じうる。このようなシステムには、多くのチャレンジがある。
【発明の概要】
【０００６】
ある態様は、無線通信のための方法を提供する。この方法は一般に、完全性保護された情報要素（ＩＥ）にカプセル化されるべき少なくとも１つの情報要素（ＩＥ）のための完全性チェック値を生成することと、少なくとも１つの完全性保護されたＩＥと完全性チェック値とを備えるメッセージを送信することと、を含む。
【０００７】
本開示のある態様は、無線通信のための装置を提供する。この装置は一般に、完全性保護された情報要素（ＩＥ）にカプセル化されるべき少なくとも１つの情報要素（ＩＥ）のための完全性チェック値を生成する手段と、少なくとも１つの完全性保護されたＩＥと完全性チェック値とを備えるメッセージを送信する手段と、を含む。
【０００８】
本開示のある態様は、無線通信のための装置を提供する。この装置は一般に、完全性保護された情報要素（ＩＥ）にカプセル化されるべき少なくとも１つの情報要素（ＩＥ）のための完全性チェック値を生成するように構成された処理システムと、少なくとも１つの完全性保護されたＩＥと完全性チェック値とを備えるメッセージを、少なくとも１つのアンテナを介して送信するように構成された送信機と、を含む。
【０００９】
本開示のある態様は、無線通信のためのコンピュータ・プログラム製品を提供する。コンピュータ・プログラム製品は、完全性保護された情報要素（ＩＥ）にカプセル化されるべき少なくとも１つの情報要素（ＩＥ）のための完全性チェック値を生成し、少なくとも１つの完全性保護されたＩＥと完全性チェック値とを備えるメッセージを送信する、ように実行可能な命令群を備えるコンピュータ読取可能な媒体を含む。
【００１０】
本開示のある態様は、アクセス・ポイントを提供する。アクセス・ポイントは一般に、少なくとも１つのアンテナと、完全性保護された情報要素（ＩＥ）にカプセル化されるべき少なくとも１つの情報要素（ＩＥ）のための完全性チェック値を生成するように構成された完全性チェック生成器と、少なくとも１つの完全性保護されたＩＥと完全性チェック値とを備えるメッセージを、少なくとも１つのアンテナを介して送信するように構成された送信機と、を含む。
【図面の簡単な説明】
【００１１】
本開示の前述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、本開示のある態様にしたがう無線通信ネットワークの例を例示する。
【図２】図２は、本開示のある態様にしたがって、図１の無線通信ネットワークにおける無線ノードの物理レイヤの信号処理機能の例のブロック図を例示する。
【図３】図３は、本開示のある態様にしたがって、図１の無線通信ネットワークにおける無線ノードの処理システムのための典型的なハードウェア構成のブロック図を例示する。
【図４】図４は、ＭＡＣフレーム・フォーマットの例を例示する。
【図５】図５は、本開示のある態様にしたがうカプセル・フレーム・フォーマットの例を例示する。
【図６】図６は、管理ＭＩＣ情報要素（ＭＭＩＥ）を例示する。
【図７】図７は、ＭＡＣフレーム・フォーマットの例を例示する。
【図８】図８は、完全性保護されたＩＥが、ＭＭＩＥで増加した情報要素をどのようにして含みうるのかを例示する。
【図９】図９は、ＭＡＣフレーム・フォーマットの例を例示する。
【図１０】図１０は、本開示のある態様にしたがう動作の例を例示する。
【図１０Ａ】図１０Ａは、図１０に例示された動作を実行することが可能な装置の例を例示する。
【図１１】図１１は、本開示のある態様にしたがう動作の例を例示する。
【図１１Ａ】図１１Ａは、図１１に例示された動作を実行することが可能な構成要素を備えた装置の例を例示する。
【発明を実施するための形態】
【００１２】
本開示のある態様のさまざまな態様が、以下に記載される。本明細書における教示は、さまざまな広範な形態で具体化され、本明細書で開示されているあらゆる具体的な構成、機能、またはこれら両方は、単に代表例であることが明らかであるべきである。本明細書における教示に基づいて、当業者であれば、本明細書に開示された態様は、その他任意の態様と独立して実施され、これら態様のうちの複数は、さまざまな方式で組み合わされうることを認識すべきである。例えば、本明細書に記載された任意の数の態様を用いて装置が実施され、方法が実現されうる。さらに、このような装置またはこのような方法は、本明細書に記載された態様のうちの１または複数に追加されたその他の構成、機能、または、構成と機能を用いて、あるいは、本明細書に記載されたものとは異なる態様のうちの１または複数を用いて実現されうる。さらに、態様は、特許請求の範囲のうちの少なくとも１つの構成要素を含みうる。
【００１３】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。さらに、本明細書で使用されるように、用語「レガシー局」は、一般に、ＩＥＥＥ  ８０２．１１規格の８０２．１１ｎまたは初期のバージョンをサポートする無線ネットワーク・ノードを称する。
【００１４】
本明細書に記載されたマルチ・アンテナ送信技術は、例えば符号分割多元接続（ＣＤＭＡ）、直交周波数分割多重（ＯＦＤＭ）、時分割多元接続（ＴＤＭＡ）、空間分割多元接続（ＳＤＭＡ）等のようなさまざまな無線技術と結合して使用されうる。複数のユーザ端末は、異なる（１）ＣＤＭＡのための直交符号チャネル、（２）ＴＤＭＡのための時間スロット、または（３）ＯＦＤＭのためのサブ帯域を介して、データを同時に送信／受信しうる。ＣＤＭＡシステムは、ＩＳ−２０００、ＩＳ−９５、ＩＳ−８５６、広帯域ＣＤＭＡ（Ｗ−ＣＤＭＡ）、または他のいくつかの規格を実施しうる。ＯＦＤＭシステムは、ＩＥＥＥ  ８０２．１１、または、その他いくつかの規格を実施しうる。ＴＤＭＡシステムは、ＧＳＭ（登録商標）、または、その他いくつかの規格を実施しうる。これらさまざまな規格は、当該技術分野において知られている。
【００１５】
（典型的な無線通信システム）  
図１は、アクセス・ポイントおよびユーザ端末を備えた多元接続ＭＩＭＯシステム１００を例示する。簡略のために、図１には、１つのアクセス・ポイント１１０しか示されていない。アクセス・ポイント（ＡＰ）は、一般に、ユーザ端末と通信する固定局であり、基地局、またはその他いくつかの用語でも称されうる。ユーザ端末は、据置式または移動式であり、移動局、局（ＳＴＡ）、クライアント、無線デバイス、またはその他いくつかの用語でも称されうる。ユーザ端末は、例えばセルラ電話、携帯情報端末（ＰＤＡ）、ハンドヘルド・デバイス、無線モデム、ラップトップ・コンピュータ、パーソナル・コンピュータ等のような無線デバイスでありうる。
【００１６】
アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアを通信しうる。システム・コントローラ１３０は、アクセス・ポイントに接続しており、アクセス・ポイントのための調整および制御を与える。
【００１７】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｎｕ個の選択されたユーザ端末１２０のセットは、集合的に、ダウンリンク送信のための複数の出力と、アップリンク送信のための複数の入力とを示す。ある場合では、Ｎｕ個のユーザ端末のためのデータ・シンボル・ストリームが、ある手段によって、符号、周波数、または時間で多重化されていない場合、Ｎａｐ≧Ｎｕ≧１を有することが所望されうる。データ・シンボル・ストリームが、ＣＤＭＡで異なる符号チャネルを用いて、ＯＦＤＭでサブ帯域の別のセットを用いて、等で多重化されうるのであれば、Ｎｕは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。Ｎｕ個の選択されたユーザ端末は、同じまたは異なる数のアンテナを有しうる。
【００１８】
ＭＩＭＯシステム１００は、時分割デュプレクス（ＴＤＤ）システムまたは周波数分割デュプレクス（ＦＤＤ）システムをサポートしうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。
【００１９】
図２は、ＭＩＭＯシステム１００におけるアクセス・ポイント１１０と２つのユーザ端末１２０ｍ，１２０ｘのブロック図を示す。アクセス・ポイント１１０は、Ｎａｐ個のアンテナ２２４ａ乃至２２４ａｐを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、周波数チャネルを介してデータを送信することが可能な、独立して動作する装置またはデバイスであり、「受信エンティティ」は、周波数チャネルを介してデータを受信することが可能な、独立して動作する装置またはデバイスである。後述する説明では、添字“ｄｎ”は、ダウンリンクを示し、添字“ｕｐ”は、アップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎと等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００２０】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データ｛ｄｕｐ，ｍ｝を処理（例えば、符号化、インタリーブ、および変調）し、データ・シンボル・ストリーム｛ｓｕｐ，ｍ｝を提供する。ＴＸ空間プロセッサ２９０は、データ・シンボル・ストリーム｛ｓｕｐ，ｍ｝について空間処理を実行し、Ｎｕｔ，ｍ個のアンテナのためにＮｕｔ，ｍ個の送信シンボル・ストリームを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイント１１０へ送信のために、Ｎｕｔ，ｍ個のアップリンク信号を提供する。
【００２１】
Ｎｕｐ個のユーザ端末は、アップリンクにおける同時送信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００２２】
アクセス・ポイント１１０では、Ｎａｐ個のアンテナ２２４ａ乃至２２４ａｐが、アップリンクで送信しているＮｕｐ個すべてのユーザ端末から、アップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、連続干渉除去（ＳＩＣ）、またはその他いくつかの技術にしたがって実行される。復元された各アップリンク・データ・シンボル・ストリーム｛ｓｕｍ，ｍ｝は、それぞれのユーザ端末によって送信されたデータ・シンボル・ストリーム｛ｓｕｍ，ｍ｝の推定値である。ＲＸデータ・プロセッサ２４２は、復号されたデータを取得するために、そのストリームのために使用されたレートにしたがって、復元された各アップリンク・データ・シンボル・ストリーム｛ｓｕｐ，ｍ｝を処理（例えば、復調、デインタリーブ、および復号）する。各ユーザ端末の復号されたデータは、格納のためにデータ・シンク２４４へ提供され、および／または、さらなる処理のためにコントローラ２３０へ提供されうる。
【００２３】
ダウンリンクでは、アクセス・ポイント１１０において、ＴＸデータ・プロセッサ２１０は、ダウンリンク送信のためにスケジュールされたＮｄｎ個のユーザ端末のためのトラフィック・データをデータ・ソース２０８から、制御データをコントローラ２３０から、恐らくはその他のデータをスケジューラ２３４から受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて空間処理を実行し、Ｎａｐ個のアンテナのために、Ｎａｐ個の送信シンボルを提供する。各送信機ユニット（ＴＭＴＲ）２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のため、Ｎａｐ個のダウンリンク信号を提供する。
【００２４】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信ユニット２５４からのＮｕｔ，ｍ個の受信シンボル・ストリームについて受信機空間処理を実行し、ユーザ端末のために復元されたダウンリンク・データ・シンボル・ストリーム｛ｓｄｎ，ｍ｝を提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００２５】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信ユニット２５４からのＮｕｔ，ｍ個の受信シンボル・ストリームについて受信機空間処理を実行し、ユーザ端末のために復元されたダウンリンク・データ・シンボル・ストリーム｛ｓｄｎ，ｍ｝を提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００２６】
図３は、システム１００内で適用されうる無線デバイス３０２内で利用されうるさまざまな構成要素を例示する。無線デバイス３０２は、本明細書で説明されるさまざまな方法を実施するために構成され得るデバイスの例である。無線デバイス３０２は、アクセス・ポイント１１０またはユーザ端末１２０でありうる。
【００２７】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００２８】
無線デバイス３０２は、無線デバイス３０２と遠隔位置との間でのデータの送信および受信を可能にする送信機３１０および受信機３１２を含むことができるハウジング３０８をも含みうる。送信機３１０および受信機３１２は、トランシーバ３１４に結合されうる。複数の送信アンテナ３１６が、ハウジング３０８に接続され、トランシーバ３１４に電気的に接続されている。無線デバイス３０２はまた、（図示しない）複数の送信機、複数の受信機、および複数のトランシーバを含みうる。
【００２９】
無線デバイス３０２は、トランシーバ３１４によって受信された信号を検出し、そのレベルを定量化する目的で使用される信号検出器３１８をも含むことができる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００３０】
無線デバイス３０２のさまざまな構成要素を、データ・バスに加えて電力バス、制御信号バス、およびステータス信号バスを含むことができるバス・システム３２２によってともに結合することができる。
【００３１】
当業者であれば、本明細書に記載された技術は、一般に、例えばＳＤＭＡ、ＯＦＤＭＡ、ＣＤＭＡ、ＳＤＭＡ、およびこれらの組み合わせのような任意のタイプの多元接続スキームを利用するシステムにおいて適用されうることを認識するだろう。
【００３２】
ＩＥＥＥ  ８０２．１１に基づく次世代無線ローカル・エリア・ネットワーク（ＷＬＡＮ）システムでは、アクセス・ポイント（ＡＰ）（例えば、図１からのアクセス・ポイント１１０）は、マルチユーザ複数入力複数出力（ＭＵ−ＭＩＭＯ）送信スキームを用いて、データを、複数の局（ＳＴＡ）（例えば、図１からのユーザ端末１２０）へ、同時に送信しうる。しかしながら、ＡＰは、このような送信に先立って、データ通信のための媒体を確保するために、複数のＳＴＡへ送信要求（ＲＴＳ）メッセージを送信しうる。複数のＳＴＡが、ＡＰから送信されたＲＴＳメッセージを聞くことができない他のＳＴＡから保護されるべきである（すなわち、これらその他のＳＴＡが、隠れたノードを表す）場合、複数のＳＴＡは、送信クリア（ＣＴＳ）メッセージを持って応答する必要がありうる。しかしながら、各ＳＴＡから個別にＣＴＳメッセージを要求することの時間オーバヘッドは、大きすぎることがありうる。
【００３３】
（完全性保護を備えたビーコンおよび管理情報要素）  
本開示のある態様は、メッセージで送信された情報要素（ＩＥ）の完全性保護のためのサポートを提供する。例えば、これら技術は、「ＩＥレベル」で完全性保護を提供しうる。このＩＥレベルの完全性保護によって、従来、完全性保護が提供されていないメッセージのタイプで伝送されたＩＥ（例えば、ビーコン）に対する完全性保護を可能にしうる。
【００３４】
ブロードキャスト管理フレームのための完全性チェックおよびリプレイ保護を提供するために、ブロードキャスト完全性保護（ＢＩＰ）手順が、例えば、８０２．１１規格に対する８０２．１１ｗ修正のようなあるバージョンの規格にしたがって利用可能となりうる。
【００３５】
図４は、ＢＩＰによって保護されうる管理フレーム・フォーマット４００の例を例示する。例えば、フレーム・フォーマット４００は、図５に示されるＢＩＰカプセル化フレーム・フォーマット５００にカプセル化されうる。ＢＩＰ手順によれば、メッセージ完全性チェック（ＭＩＣ）値は、カプセル化されたメッセージのために生成されうる。
【００３６】
図６に例示されるように、ＭＩＣは、管理ＭＩＣ情報要素（ＭＭＩＥ）６００に含まれうる。ＭＭＩＥは、ＢＩＰカプセル化フレーム・フォーマット５００のボディ内に、カプセル化フレーム・フォーマット４００とともに含まれうる。例示されるように、ＭＭＩＥ６００は、要素ＩＤフィールド、長さフィールド、鍵ＩＤ、完全性グループ一時鍵（ＩＧＴＫ）パケット番号（ＩＰＮ）、およびＭＩＣを備えうる。
【００３７】
一般に、ＢＩＰは、ロバストな管理フレームとして定義されたフレームのためにのみ利用可能である。不運にも、ロバストな管理フレームとして具体的に定義されていないフレームは、ＢＩＰから利益を受けることを許可されない場合がありうる。
【００３８】
本開示の態様は、さまざまなタイプのメッセージで送信されうる情報要素（ＩＥ）のための完全性保護を提供しうる。完全性保護されたＩＥを備えたメッセージは、ビーコン・メッセージ、ブロードキャスト・メッセージ（例えば、ブロードキャスト管理メッセージ）、および／または、マルチキャスト・メッセージ（例えば、マルチキャスト管理メッセージ）を含みうる。
【００３９】
図７に例示されたように、フレーム・フォーマット７００は、ＢＩＰ保護されたＩＰカプセル部を示すために、単一のＩＥインデクス値を利用しうる。ＢＩＰ保護されたＩＥは、複数のその他のＩＤおよびＭＭＩＥをカプセル化しうる。例示されるように、ＭＭＩＥは、最後のＩＥでありうる。
【００４０】
図８に例示されるように、ある態様によれば、完全性保護されたＩＥ８００は、ＭＭＩＥで増えた情報要素を含みうる。ＭＭＩＥは、保護されるべきＩＥのための計算された完全性チェック値（例えば、メッセージ完全性チェックＭＩＣ）を含みうる。オプションの長さフィールドは、ＭＭＩＥおよびＩＥのボディの長さを示しうる。情報ＩＤは、ＭＭＩＥとともにカプセル化された特定の情報要素に対応する値に設定されうる。
【００４１】
ＭＭＩＥは、さまざまな異なる方式で生成されうる。例として、図９のＭＡＣフレーム・フォーマット９００の例に示すように、ＭＭＩＥは、フレーム制御フィールド、１または複数のアドレス・フィールド、ゼロに設定されたＭＭＩＥ  ＭＩＣビットを用いてカプセル化されたＩＥに基づいて生成されうる。別の例として、ＭＭＩＥは、フレーム制御フィールド、１または複数のアドレス・フィールド、ゼロに設定されたＭＭＩＥ  ＭＩＣビットを用いて、所与のＩＥの前に送信されたビットを備えたフレーム・ボディの一部に基づいて生成されうる。
【００４２】
ある態様によれば、ＭＭＩＥは、完全性鍵またはセキュリティ鍵のうちの少なくとも１つを用いて計算されたＭＩＣを備えうる。例えば、ＭＩＣは、８０２．１１ｗによって定義された手順にしたがって、ブロードキャスト管理フレームのために生成された完全性鍵およびその他のパラメータを用いて計算されうる。完全性鍵およびその他のパラメータは、ＩＧＴＫ、ＩＰＮ、鍵ＩＤを含みうる。
【００４３】
ある態様によれば、ＭＭＩＥを備えた１または複数の完全性保護されたＩＥが、ビーコン・メッセージで送信されうる。ＭＭＩＥが、（例えば、図７または図８に例示されるように）別のＩＥ内にある場合、情報ＩＤフィールドおよび長さフィールドが除去されうる（なぜなら、メッセージ全体が、情報ＩＤフィールドと長さフィールドを含んでおり、これらのフィールドは冗長だからである）。
【００４４】
ある態様によれば、ＳＴＡが、ブロードキャスト保護情報要素フレームを送信する場合、ＳＴＡは、意図された受信者のグループへのフレームの送信のために現在アクティブであるＩＧＴＫを選択し、ゼロにマスクされたＭＩＣフィールドと、対応するＩＧＴＫ鍵ＩＤ値に設定された鍵ＩＤフィールドとを用いてＭＭＩＥを構築しうる。送信機は、単純に増加する、負ではない整数をＭＭＩＥ  ＩＰＮフィールドへ挿入しうる。送信元のＳＴＡは、フレーム制御フィールドおよび１または複数のアドレス・フィールドに基づきうるＡＡＤを、指定されるように計算しうる。送信元の局はまた、（ＡＡＤ｜｜ＭＭＩＥを含むＩＥボディ）の連結によって、ＡＥＳ−１２８−ＣＭＡＣを計算し、６４ビット出力をＭＭＩＥ  ＭＩＣフィールドへ挿入しうる。送信元の局はまた、ＩＥＥＥ  ８０２．１１ヘッダ、ＭＭＩＥを含む管理フレーム・ボディ、およびＦＣＳとしてフレームを構成しうる。前述したように、ＭＭＩＥは、フレーム・ボディにおいて最後に現れうる。その後、ＳＴＡは、このフレームを送信しうる。ＮＩＳＴ  ＳＰ  ８００−３８ＢからのＣＭＡＣモードにおけるＡＥＳ−１２８は、アメリカ国立標準技術研究所によって提供されている暗号化規格を称する。
【００４５】
図１０は、例えば、アクセス・ポイントまたはその他の送信元の局によって実行されうる動作１０００の例を例示する。
【００４６】
動作１０００は、１００２において、完全性保護された情報要素（ＩＥ）内にカプセル化されるべき少なくとも１つの情報要素（ＩＥ）のための完全性チェック値を生成することによって始まる。１００４において、少なくとも１つの完全性保護されたＩＥと完全性チェック値を備えるメッセージが送信される。
【００４７】
図１０Ａは、図１０に図示された動作を実行することが可能なアクセス・ポイント１０００Ａの例を例示する。
【００４８】
例えば、これら構成要素は、完全性保護された情報要素（ＩＥ）内にカプセル化されるべき少なくとも１つの情報要素（ＩＥ）のための完全性チェック値を生成するように構成された完全性チェック生成器１００２Ａと、少なくとも１つの完全性保護されたＩＥと完全性チェック値とを備えるメッセージを送信するように構成された送信機１００４Ａとを含みうる。
【００４９】
図１１は、例えば、ユーザ端末またはその他の受信無線ノードによって実行されうる動作１１００の例を例示する。動作１１００は、図１０に図示されるものに対して相補的であり、受信デバイスは、受信されたメッセージにおけるＩＥの完全性を検証することが可能となる。
【００５０】
動作１１００は、１１０２において、少なくとも１つの完全性保護された情報要素（ＩＥ）と完全性チェック値を備えるメッセージを受信することによって始まる。１１０４において、少なくとも１つの完全性保護されたＩＥにカプセル化された少なくとも１つのＩＥの完全性を検証するために、完全性チェック値が使用される。
【００５１】
例えば、これら動作を実行するデバイスは、ＩＣＶにおけるミスマッチを検出しうる。さらに、このデバイスはまた、例えば、予想されるシーケンシャルな値が検出されない場合、リプレイ・アタッチを検出しうる。これは、サード・パーティ・エンティティによる不正を示している可能性がある。
【００５２】
いくつかの場合には、受信デバイスは、ＩＥのためのＩＣＶを計算するために使用される受信メッセージにおける情報に基づいて、ＩＣＶを計算することによって、完全性を検証しうる。この計算されたＩＣＶは、ＩＥをカプセル化するメッセージにおいて受信された（含まれた）ＩＣＶと比較されうる。ＩＣＶチェックが失敗した場合、受信デバイスは、（例えば、ＡＣＫもＮＡＣＫも送信することなく）メッセージの再送信を引き起こす動作を講じうる。
【００５３】
いくつかの場合には、許可されていないパーティによる不正に対して送信が保護されることを保証するために、ＩＥに対する完全性保護を実行するための機能が、ネゴシエート中のこのような機能を示す交換メッセージに基づいて、関連付け中にネゴシエートされうるか、あるいは、その他いくつかの処理の間に既にネゴシエートされうる。
【００５４】
図１１Ａは、図１１に図示された動作を実行することが可能な無線ノード１１００Ａの構成要素の例を例示する。
【００５５】
例えば、これら構成要素は、少なくとも１つの完全性保護された情報要素（ＩＥ）を備えるメッセージを受信するように構成された受信機１１０２Ａと、少なくとも１つの完全性保護されたＩＥにカプセル化された少なくとも１つのＩＥの完全性を検証するために、完全性チェック値を使用するように構成された完全性チェック回路１１０４Ａとを含みうる。
【００５６】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション構成要素を有しうる。
【００５７】
本明細書で使用される場合、用語「決定すること」は、さまざまな動作を含む。例えば、「決定すること」は、計算、コンピューティング、処理、導出、調査、ルックアップ（例えば、テーブル、データベース、または他のデータ構造内のルックアップ）、確認等を行うことを含みうる。また、「決定すること」は、受信（例えば、情報の受信）、アクセス（例えば、メモリ内のデータへのアクセス）等を行うことを含みうる。また、「決定すること」は、解決、選択、選定、確立等を行うことを含みうる。
【００５８】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００５９】
前述した方法のさまざまな動作は、例えばさまざまなハードウェア構成要素および／またはソフトウェア構成要素、回路、および／または、モジュール（単数または複数）のように、動作を実行することが可能な任意の適切な手段によって実行されうる。通常、図面に例示される何れの動作も、これら動作を実行することが可能な対応する機能的手段によって実行されうる。
【００６０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６１】
本開示に関連して記載される方法またはアルゴリズムのステップは、ハードウェアで直接的に、プロセッサによって実行されるソフトウェア・モジュールで、あるいは、これらの組み合わせで具体化されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００６２】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００６３】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。したがって、いくつかの態様では、コンピュータ読取可能な媒体は、非一時的なコンピュータ読取可能な媒体（例えば、実体的な媒体）を備えうる。さらに、いくつかの態様では、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００６４】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００６５】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００６６】
さらに、本明細書で説明される方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００６７】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００６８】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2013546259.tif 000003
【図２】
2013546259.tif 000004
【図３】
2013546259.tif 000005
【図４】
2013546259.tif 000006
【図５】
2013546259.tif 000007
【図６】
2013546259.tif 000008
【図７】
2013546259.tif 000009
【図８】
2013546259.tif 000010
【図９】
2013546259.tif 000011
【図１０】
2013546259.tif 000012
【図１０Ａ】
2013546259.tif 000013
【図１１】
2013546259.tif 000014
【図１１Ａ】
2013546259.tif 000015
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
無線通信のための装置であって、
完全性保護された情報要素（ＩＥ）にカプセル化されるべき少なくとも１つの情報要素（ＩＥ）のための完全性チェック値を生成するように構成された処理システムと、
少なくとも１つの前記完全性保護されたＩＥと前記完全性チェック値とを備えるメッセージを送信するように構成された送信機と、
を備え、前記少なくとも１つのＩＥの各々は、識別子（ＩＤ）、長さフィールド、およびボディ・フィールドから成る装置。
【請求項２】
前記メッセージは、ビーコン・メッセージ、ブロードキャスト・メッセージ、またはマルチキャスト・メッセージのうちの少なくとも１つを備える、請求項１に記載の装置。
【請求項３】
前記メッセージは、前記完全性チェック値を含むＩＥを備える、請求項１に記載の装置。
【請求項４】
前記完全性保護されたＩＥは、複数のＩＥと、前記完全性チェック値とをカプセル化する、請求項１に記載の装置。
【請求項５】
前記完全性チェック値は、前記完全性保護されたＩＥにカプセル化された最後のＩＥに含まれる、請求項４に記載の装置。
【請求項６】
前記完全性チェック値は、以前に送信されたメッセージを再送信することを許可されていないデバイスに対してリプレイ保護を提供する方式で生成される、請求項１に記載の装置。
【請求項７】
前記完全性チェック値は、８０２．１１規格完全性手順に対する８０２．１１修正に基づいて生成された管理ＭＩＣ情報要素（ＭＭＩＥ）に含まれる、請求項１に記載の装置。
【請求項８】
前記完全性保護されたＩＥは、前記完全性保護されたＩＥのボディの長さを示す長さフィールドを備える、請求項１に記載の装置。
【請求項９】
前記完全性保護されたＩＥは、特定のタイプの完全性保護されたＩＥに対応する数に設定された情報ＩＤを備える、請求項１に記載の装置。
【請求項１０】
完全性チェック生成部は、フレーム制御フィールド、１または複数のアドレス・フィールド、少なくとも１つのカプセル化されたＩＥ、または、ゼロに設定されたビットを有するメッセージ完全性チェック（ＭＩＣ）値のうちの少なくとも１つに基づいて、前記完全性チェック値を生成するように構成された、請求項１に記載の装置。
【請求項１１】
完全性チェック生成部は、フレーム制御フィールド、１または複数のアドレス・フィールド、カプセル化されたＩＥの前のビットを有するフレーム・ボディの一部、または、ゼロに設定されたビットを有するメッセージ完全性チェック（ＭＩＣ）値のうちの少なくとも１つに基づいて、前記完全性チェック値を生成するように構成された、請求項１に記載の装置。
【請求項１２】
前記完全性チェック値は、完全性鍵またはセキュリティ鍵のうちの少なくとも１つを備える１または複数の鍵を用いて生成される、請求項１に記載の装置。
【請求項１３】
前記完全性鍵またはセキュリティ鍵は、安全な関連付け処理の一部として交換されるか、生成されるかのうちの少なくとも１つである、請求項１２に記載の装置。
【請求項１４】
前記安全な関連付け処理は、ＩＥの完全性保護の機能をネゴシエートすることを備える、請求項１３に記載の装置。
【請求項１５】
無線通信のための方法であって、
完全性保護された情報要素（ＩＥ）にカプセル化されるべき少なくとも１つの情報要素（ＩＥ）のための完全性チェック値を生成することと、
少なくとも１つの前記完全性保護されたＩＥと前記完全性チェック値とを備えるメッセージを送信することと、
を備え、前記少なくとも１つのＩＥの各々は、識別子（ＩＤ）、長さフィールド、およびボディ・フィールドから成る方法。
【請求項１６】
前記メッセージは、ビーコン・メッセージ、ブロードキャスト・メッセージ、またはマルチキャスト・メッセージのうちの少なくとも１つを備える、請求項１５に記載の方法。
【請求項１７】
前記メッセージは、前記完全性チェック値を含むＩＥを備える、請求項１５に記載の方法。
【請求項１８】
前記完全性保護されたＩＥは、複数のＩＥと、前記完全性チェック値とをカプセル化する、請求項１５に記載の方法。
【請求項１９】
前記完全性チェック値は、前記完全性保護されたＩＥにカプセル化された最後のＩＥに含まれる、請求項１８に記載の方法。
【請求項２０】
前記完全性チェック値は、以前に送信されたメッセージを再送信することを許可されていないデバイスに対してリプレイ保護を提供する方式で生成される、請求項１５に記載の方法。
【請求項２１】
前記完全性チェック値は、８０２．１１規格完全性手順に対する８０２．１１修正に基づいて生成された管理ＭＩＣ情報要素（ＭＭＩＥ）に含まれる、請求項１５に記載の方法。
【請求項２２】
前記完全性保護されたＩＥは、前記完全性保護されたＩＥのボディの長さを示す長さフィールドを備える、請求項１５に記載の方法。
【請求項２３】
前記完全性保護されたＩＥは、特定のタイプの完全性保護されたＩＥに対応する数に設定された情報ＩＤを備える、請求項１５に記載の方法。
【請求項２４】
完全性チェック生成部は、フレーム制御フィールド、１または複数のアドレス・フィールド、少なくとも１つのカプセル化されたＩＥ、または、ゼロに設定されたビットを有するメッセージ完全性チェック（ＭＩＣ）値のうちの少なくとも１つに基づいて、前記完全性チェック値を生成するように構成された、請求項１５に記載の方法。
【請求項２５】
完全性チェック生成部は、フレーム制御フィールド、１または複数のアドレス・フィールド、カプセル化されたＩＥの前のビットを有するフレーム・ボディの一部、または、ゼロに設定されたビットを有するメッセージ完全性チェック（ＭＩＣ）値のうちの少なくとも１つに基づいて、前記完全性チェック値を生成するように構成された、請求項１５に記載の方法。
【請求項２６】
前記完全性チェック値は、完全性鍵またはセキュリティ鍵のうちの少なくとも１つを備える１または複数の鍵を用いて生成される、請求項１５に記載の方法。
【請求項２７】
前記完全性鍵またはセキュリティ鍵は、安全な関連付け処理の一部として交換されるか、生成されるかのうちの少なくとも１つである、請求項２６に記載の方法。
【請求項２８】
前記安全な関連付け処理は、ＩＥの完全性保護の機能をネゴシエートすることを備える、請求項２７に記載の方法。
【請求項２９】
無線通信のための装置であって、
完全性保護された情報要素（ＩＥ）にカプセル化されるべき少なくとも１つの情報要素（ＩＥ）のための完全性チェック値を生成する手段と、
少なくとも１つの前記完全性保護されたＩＥと前記完全性チェック値とを備えるメッセージを送信する手段と、
を備え、前記少なくとも１つのＩＥの各々は、識別子（ＩＤ）、長さフィールド、およびボディ・フィールドから成る装置。
【請求項３０】
前記メッセージは、ビーコン・メッセージ、ブロードキャスト・メッセージ、またはマルチキャスト・メッセージのうちの少なくとも１つを備える、請求項２９に記載の装置。
【請求項３１】
前記メッセージは、前記完全性チェック値を含むＩＥを備える、請求項２９に記載の装置。
【請求項３２】
前記完全性保護されたＩＥは、複数のＩＥと、前記完全性チェック値とをカプセル化する、請求項２９に記載の装置。
【請求項３３】
前記完全性チェック値は、前記完全性保護されたＩＥにカプセル化された最後のＩＥに含まれる、請求項３２に記載の装置。
【請求項３４】
前記完全性チェック値は、以前に送信されたメッセージを再送信することを許可されていないデバイスに対してリプレイ保護を提供する方式で生成される、請求項２９に記載の装置。
【請求項３５】
前記完全性チェック値は、８０２．１１規格完全性手順に対する８０２．１１修正に基づいて生成された管理ＭＩＣ情報要素（ＭＭＩＥ）に含まれる、請求項２９に記載の装置。
【請求項３６】
前記完全性保護されたＩＥは、前記完全性保護されたＩＥのボディの長さを示す長さフィールドを備える、請求項２９に記載の装置。
【請求項３７】
前記完全性保護されたＩＥは、特定のタイプの完全性保護されたＩＥに対応する数に設定された情報ＩＤを備える、請求項２９に記載の装置。
【請求項３８】
完全性チェック生成部は、フレーム制御フィールド、１または複数のアドレス・フィールド、少なくとも１つのカプセル化されたＩＥ、または、ゼロに設定されたビットを有するメッセージ完全性チェック（ＭＩＣ）値のうちの少なくとも１つに基づいて、前記完全性チェック値を生成するように構成された、請求項２９に記載の装置。
【請求項３９】
完全性チェック生成部は、フレーム制御フィールド、１または複数のアドレス・フィールド、カプセル化されたＩＥの前のビットを有するフレーム・ボディの一部、または、ゼロに設定されたビットを有するメッセージ完全性チェック（ＭＩＣ）値のうちの少なくとも１つに基づいて、前記完全性チェック値を生成するように構成された、請求項２９に記載の装置。
【請求項４０】
前記完全性チェック値は、完全性鍵またはセキュリティ鍵のうちの少なくとも１つを備える１または複数の鍵を用いて生成される、請求項２９に記載の装置。
【請求項４１】
前記完全性鍵またはセキュリティ鍵は、安全な関連付け処理の一部として交換されるか、生成されるかのうちの少なくとも１つである、請求項４０に記載の装置。
【請求項４２】
前記安全な関連付け処理は、ＩＥの完全性保護の機能をネゴシエートすることを備える、請求項４１に記載の装置。
【請求項４３】
無線通信のためのコンピュータ・プログラム製品であって、
完全性保護された情報要素（ＩＥ）にカプセル化されるべき少なくとも１つの情報要素（ＩＥ）のための完全性チェック値を生成し、
少なくとも１つの前記完全性保護されたＩＥと前記完全性チェック値とを備えるメッセージを送信する、
ように実行可能な命令群を有するコンピュータ読取可能な媒体を備え、前記少なくとも１つのＩＥの各々は、識別子（ＩＤ）、長さフィールド、およびボディ・フィールドから成る、コンピュータ・プログラム製品。
【請求項４４】
アクセス・ポイントであって、
少なくとも１つのアンテナと、
完全性保護された情報要素（ＩＥ）にカプセル化されるべき少なくとも１つの情報要素（ＩＥ）のための完全性チェック値を生成するように構成された完全性チェック生成器と、
少なくとも１つの前記完全性保護されたＩＥと前記完全性チェック値とを備えるメッセージを、前記少なくとも１つのアンテナを介して送信するように構成された送信機と、を備え、前記少なくとも１つのＩＥの各々は、識別子（ＩＤ）、長さフィールド、およびボディ・フィールドから成るアクセス・ポイント。
【手続補正２】
【補正対象書類名】明細書
【補正対象項目名】００３８
【補正方法】削除
【補正の内容】
【手続補正３】
【補正対象書類名】明細書
【補正対象項目名】００６８
【補正方法】変更
【補正の内容】
【００６８】
前述したものは、本開示の態様に向けられているが、これら開示のその他およびさらなる態様が、本願の基本的な範囲から逸脱することなく考案され、この範囲は、以下に示す特許請求の範囲によって決定される。
以下に、本願出願の当初の特許請求の範囲に記載された発明を付記する。
［Ｃ１］
無線通信のための装置であって、
完全性保護された情報要素（ＩＥ）にカプセル化されるべき少なくとも１つの情報要素（ＩＥ）のための完全性チェック値を生成するように構成された処理システムと、
少なくとも１つの前記完全性保護されたＩＥと前記完全性チェック値とを備えるメッセージを送信するように構成された送信機と、
を備える装置。
［Ｃ２］
前記メッセージは、ビーコン・メッセージ、ブロードキャスト・メッセージ、またはマルチキャスト・メッセージのうちの少なくとも１つを備える、Ｃ１に記載の装置。
［Ｃ３］
前記メッセージは、前記完全性チェック値を含むＩＥを備える、Ｃ１に記載の装置。
［Ｃ４］
前記完全性保護されたＩＥは、複数のＩＥと、前記完全性チェック値とをカプセル化する、Ｃ１に記載の装置。
［Ｃ５］
前記完全性チェック値は、前記完全性保護されたＩＥにカプセル化された最後のＩＥに含まれる、Ｃ４に記載の装置。
［Ｃ６］
前記完全性チェック値は、以前に送信されたメッセージを再送信することを許可されていないデバイスに対してリプレイ保護を提供する方式で生成される、Ｃ１に記載の装置。
［Ｃ７］
前記完全性チェック値は、８０２．１１規格完全性手順に対する８０２．１１修正に基づいて生成された管理ＭＩＣ情報要素（ＭＭＩＥ）に含まれる、Ｃ１に記載の装置。
［Ｃ８］
前記完全性保護されたＩＥは、前記完全性保護されたＩＥのボディの長さを示す長さフィールドを備える、Ｃ１に記載の装置。
［Ｃ９］
前記完全性保護されたＩＥは、特定のタイプの完全性保護されたＩＥに対応する数に設定された情報ＩＤを備える、Ｃ１に記載の装置。
［Ｃ１０］
完全性チェック生成部は、フレーム制御フィールド、１または複数のアドレス・フィールド、少なくとも１つのカプセル化されたＩＥ、または、ゼロに設定されたビットを有するメッセージ完全性チェック（ＭＩＣ）値のうちの少なくとも１つに基づいて、前記完全性チェック値を生成するように構成された、Ｃ１に記載の装置。
［Ｃ１１］
完全性チェック生成部は、フレーム制御フィールド、１または複数のアドレス・フィールド、カプセル化されたＩＥの前のビットを有するフレーム・ボディの一部、または、ゼロに設定されたビットを有するメッセージ完全性チェック（ＭＩＣ）値のうちの少なくとも１つに基づいて、前記完全性チェック値を生成するように構成された、Ｃ１に記載の装置。
［Ｃ１２］
前記完全性チェック値は、完全性鍵またはセキュリティ鍵のうちの少なくとも１つを備える１または複数の鍵を用いて生成される、Ｃ１に記載の装置。
［Ｃ１３］
前記完全性鍵またはセキュリティ鍵は、安全な関連付け処理の一部として交換されるか、生成されるかのうちの少なくとも１つである、Ｃ１２に記載の装置。
［Ｃ１４］
前記安全な関連付け処理は、ＩＥの完全性保護の機能をネゴシエートすることを備える、Ｃ１３に記載の装置。
［Ｃ１５］
無線通信のための方法であって、
完全性保護された情報要素（ＩＥ）にカプセル化されるべき少なくとも１つの情報要素（ＩＥ）のための完全性チェック値を生成することと、
少なくとも１つの前記完全性保護されたＩＥと前記完全性チェック値とを備えるメッセージを送信することと、
を備える方法。
［Ｃ１６］
前記メッセージは、ビーコン・メッセージ、ブロードキャスト・メッセージ、またはマルチキャスト・メッセージのうちの少なくとも１つを備える、Ｃ１５に記載の方法。
［Ｃ１７］
前記メッセージは、前記完全性チェック値を含むＩＥを備える、Ｃ１５に記載の方法。
［Ｃ１８］
前記完全性保護されたＩＥは、複数のＩＥと、前記完全性チェック値とをカプセル化する、Ｃ１５に記載の方法。
［Ｃ１９］
前記完全性チェック値は、前記完全性保護されたＩＥにカプセル化された最後のＩＥに含まれる、Ｃ１８に記載の方法。
［Ｃ２０］
前記完全性チェック値は、以前に送信されたメッセージを再送信することを許可されていないデバイスに対してリプレイ保護を提供する方式で生成される、Ｃ１５に記載の方法。
［Ｃ２１］
前記完全性チェック値は、８０２．１１規格完全性手順に対する８０２．１１修正に基づいて生成された管理ＭＩＣ情報要素（ＭＭＩＥ）に含まれる、Ｃ１５に記載の方法。
［Ｃ２２］
前記完全性保護されたＩＥは、前記完全性保護されたＩＥのボディの長さを示す長さフィールドを備える、Ｃ１５に記載の方法。
［Ｃ２３］
前記完全性保護されたＩＥは、特定のタイプの完全性保護されたＩＥに対応する数に設定された情報ＩＤを備える、Ｃ１５に記載の方法。
［Ｃ２４］
完全性チェック生成部は、フレーム制御フィールド、１または複数のアドレス・フィールド、少なくとも１つのカプセル化されたＩＥ、または、ゼロに設定されたビットを有するメッセージ完全性チェック（ＭＩＣ）値のうちの少なくとも１つに基づいて、前記完全性チェック値を生成するように構成された、Ｃ１５に記載の方法。
［Ｃ２５］
完全性チェック生成部は、フレーム制御フィールド、１または複数のアドレス・フィールド、カプセル化されたＩＥの前のビットを有するフレーム・ボディの一部、または、ゼロに設定されたビットを有するメッセージ完全性チェック（ＭＩＣ）値のうちの少なくとも１つに基づいて、前記完全性チェック値を生成するように構成された、Ｃ１５に記載の方法。
［Ｃ２６］
前記完全性チェック値は、完全性鍵またはセキュリティ鍵のうちの少なくとも１つを備える１または複数の鍵を用いて生成される、Ｃ１５に記載の方法。
［Ｃ２７］
前記完全性鍵またはセキュリティ鍵は、安全な関連付け処理の一部として交換されるか、生成されるかのうちの少なくとも１つである、Ｃ２６に記載の方法。
［Ｃ２８］
前記安全な関連付け処理は、ＩＥの完全性保護の機能をネゴシエートすることを備える、Ｃ２７に記載の方法。
［Ｃ２９］
無線通信のための装置であって、
完全性保護された情報要素（ＩＥ）にカプセル化されるべき少なくとも１つの情報要素（ＩＥ）のための完全性チェック値を生成する手段と、
少なくとも１つの前記完全性保護されたＩＥと前記完全性チェック値とを備えるメッセージを送信する手段と、
を備える装置。
［Ｃ３０］
前記メッセージは、ビーコン・メッセージ、ブロードキャスト・メッセージ、またはマルチキャスト・メッセージのうちの少なくとも１つを備える、Ｃ２９に記載の装置。
［Ｃ３１］
前記メッセージは、前記完全性チェック値を含むＩＥを備える、Ｃ２９に記載の装置。
［Ｃ３２］
前記完全性保護されたＩＥは、複数のＩＥと、前記完全性チェック値とをカプセル化する、Ｃ２９に記載の装置。
［Ｃ３３］
前記完全性チェック値は、前記完全性保護されたＩＥにカプセル化された最後のＩＥに含まれる、Ｃ３２に記載の装置。
［Ｃ３４］
前記完全性チェック値は、以前に送信されたメッセージを再送信することを許可されていないデバイスに対してリプレイ保護を提供する方式で生成される、Ｃ２９に記載の装置。
［Ｃ３５］
前記完全性チェック値は、８０２．１１規格完全性手順に対する８０２．１１修正に基づいて生成された管理ＭＩＣ情報要素（ＭＭＩＥ）に含まれる、Ｃ２９に記載の装置。
［Ｃ３６］
前記完全性保護されたＩＥは、前記完全性保護されたＩＥのボディの長さを示す長さフィールドを備える、Ｃ２９に記載の装置。
［Ｃ３７］
前記完全性保護されたＩＥは、特定のタイプの完全性保護されたＩＥに対応する数に設定された情報ＩＤを備える、Ｃ２９に記載の装置。
［Ｃ３８］
完全性チェック生成部は、フレーム制御フィールド、１または複数のアドレス・フィールド、少なくとも１つのカプセル化されたＩＥ、または、ゼロに設定されたビットを有するメッセージ完全性チェック（ＭＩＣ）値のうちの少なくとも１つに基づいて、前記完全性チェック値を生成するように構成された、Ｃ２９に記載の装置。
［Ｃ３９］
完全性チェック生成部は、フレーム制御フィールド、１または複数のアドレス・フィールド、カプセル化されたＩＥの前のビットを有するフレーム・ボディの一部、または、ゼロに設定されたビットを有するメッセージ完全性チェック（ＭＩＣ）値のうちの少なくとも１つに基づいて、前記完全性チェック値を生成するように構成された、Ｃ２９に記載の装置。
［Ｃ４０］
前記完全性チェック値は、完全性鍵またはセキュリティ鍵のうちの少なくとも１つを備える１または複数の鍵を用いて生成される、Ｃ２９に記載の装置。
［Ｃ４１］
前記完全性鍵またはセキュリティ鍵は、安全な関連付け処理の一部として交換されるか、生成されるかのうちの少なくとも１つである、Ｃ４０に記載の装置。
［Ｃ４２］
前記安全な関連付け処理は、ＩＥの完全性保護の機能をネゴシエートすることを備える、Ｃ４１に記載の装置。
［Ｃ４３］
無線通信のためのコンピュータ・プログラム製品であって、
完全性保護された情報要素（ＩＥ）にカプセル化されるべき少なくとも１つの情報要素（ＩＥ）のための完全性チェック値を生成し、
少なくとも１つの前記完全性保護されたＩＥと前記完全性チェック値とを備えるメッセージを送信する、
ように実行可能な命令群を有するコンピュータ読取可能な媒体を備える、コンピュータ・プログラム製品。
［Ｃ４４］
アクセス・ポイントであって、
少なくとも１つのアンテナと、
完全性保護された情報要素（ＩＥ）にカプセル化されるべき少なくとも１つの情報要素（ＩＥ）のための完全性チェック値を生成するように構成された完全性チェック生成器と、
少なくとも１つの前記完全性保護されたＩＥと前記完全性チェック値とを備えるメッセージを、前記少なくとも１つのアンテナを介して送信するように構成された送信機と、を備えるアクセス・ポイント。
【国際調査報告】
2013546259.tif 000016
2013546259.tif 000017
2013546259.tif 000018